(57)【要約】【課題】  本発明は、販売店に陳列され販売されているカード製品に関するもので、従来、カード部１とカード支持部２を別々に印刷及び抜き加工し、後で貼りつける煩雑な作業で長い工程で製作していたカード製品の工程を短縮して製作できる支持部一体型カード２０に関するものである。【解決手段】  本発明は、カード部１とカード支持部２とを同じ基材を使用した支持部一体型カードにおいて、カード支持部２にカード取外し部を備える、ことを特徴とする支持部一体型カード。【選択図】  図１
2013224002.tif 000002
【特許請求の範囲】
【請求項１】
カード部とカード支持部とが同じ基材からなり、該カード部は、該カード支持部に四辺を囲まれ、該カード部と該カード支持部とは、連接部で連接し、該連接部以外は分離しており、該カード支持部には、カード取出し部が備わっている支持部一体型カードであって、
該カード取出し部が、該カード部の外側に分離して対向する該カード支持部に開口してある、ことを特徴とする支持部一体型カード。
【請求項２】
前記カード支持部に開口してある前記カード取出し部には指先が挿入可能である、ことを特徴とする請求項１に記載する支持部一体型カード。
【請求項３】
カード部とカード支持部とが同じ基材からなり、該カード部は、該カード支持部に四辺を囲まれ、該カード部と該カード支持部とは、連接部で連接し、該連接部以外は分離しており、該カード支持部には、カード取出し部が備わっている支持部一体型カードであって、
該カード取出し部が該カード部の外側に分離して対向する該カード支持部において、該カード支持部とカード取出し連結部で連結されており、該カード取出し連結部以外は、該カード支持部と分離している、ことを特徴とする支持部一体型カード。
【請求項４】
カード部とカード支持部とが同じ基材からなり、該カード部は、該カード支持部に四辺を囲まれ、該カード部と該カード支持部とは、連接部で連接し、該連接部以外は分離しており、該カード支持部には、カード取出し部が備わっている支持部一体型カードであって、
該カード取出し部が該カード部の外側に分離して対向する該カード支持部の領域において、該カード部１と平面上で相対する位置にあるカード取出し部連結部で該カード支持部に連結されており、該カード取出し連結部以外は、該カード支持部と分離している、ことを特徴とする支持部一体型カード。
【請求項５】
前記カード取出し部は、前記カード部のコーナー部と分離して対向する前記カード支持部の領域の少なくとも1か所に形成されることを特徴とする請求項１ないし請求項４のいずれか１項に記載する支持部一体型カード。
【請求項６】
前記カード取出し部は、前記カード部が長辺と短辺からなる長方形で該長辺の左側および右側のコーナー部と分離して対向する前記カード支持部の領域の少なくとも２か所に形成されることを特徴とする請求項１ないし請求項４のいずれか１項に記載する支持部一体型カード。
【請求項７】
前記カード部と分離して対向する前記カード支持部の領域で、前記カード取出し部と該カード支持部とが分離している両端部において、該カード取出し部と該カード支持部とは、１．０ｍｍから２．０ｍｍの長さで連結していることを特徴とする請求項３または請求項５または請求項６のいずれか１項に記載する支持部一体型カード。
【請求項８】
前記カード取出し部は、前記カード部を取り外す際に前記カード支持部から外すことを特徴とする請求項３または請求項５または請求項６または請求項７のいずれか１項に記載する支持部一体型カード
【請求項９】
前記カード取出し部は、前記カード部を取り外す際に前記カード支持部から外れないことを特徴とする請求項４または請求項５または請求項６のいずれか１項に記載する支持部一体型カード。
【請求項１０】
前記支持部一体型カードは、プラスチックシートまたは厚紙からなることを特徴とする請求項１ないし請求項９のいずれか１項に記載する支持部一体型カード。
【発明の詳細な説明】
【技術分野】
【０００１】
本発明は、プラスチックシートや厚紙を基材とした印刷物で、カードとカードを支持して立てかけられる支持部が連接部を介して一体となり、販売店に陳列され販売されているカード製品に関する。
【０００２】
カードの例としては、スクラッチカード、ギフトカードやプリペイドカード等を挙げることができる。
【背景技術】
【０００３】
近年、印刷されたプラスチックシートや厚紙のカード支持部体に、カードを取り付けた形体で立てかけて、陳列する印刷物が多く販売されている。
販売されているカードは、カード単体では、人の目に留まりにくいため、印刷されたプラスチックシートや厚紙のカード支持部体にカードを貼り付ける形体で、販売店で立て掛けて陳列して販売されているのが、一般的である。
【０００４】
前述したカードの表面とカード支持部体の表面には、カードの内容や使用方法などの説明書き及び販売店で陳列された時に人の目に留まるような印刷がなされている。
カードの裏面には、販売店で販売した時に金額を読みとるためのバーコードが印刷され、レジスターでカード支持部体からカードを剥がさないでもバーコードが、読み取れるように、カード支持部体には、バーコードに対応する部分に開口部が形成されて、この開口部にカードのバーコードが入るように、カードとカード支持部体とは、位置を合わせて貼り合わせてある。
また、カードを使用する際に必要な個別認識番号が印字されており、販売店で陳列されている際は、個別認識番号が見えなく、購入後に、カードを購入した人が個別認識番号を確認し使用できるようにスクラッチ加工がなされている。
【０００５】
前述した印刷されたプラスチックシートや厚紙の基材にカードを貼り付ける形体の従来の製品を製作する場合、後述する留意点がある。
第一に、裏面にスクラッチ加工がなされているカードは、プラスチックシートや厚紙の基材に糊や両面テープで貼り付けられているが、カード支持部体へ貼り付ける時に糊や両面テープが、スクラッチ部に接触し、スクラッチ部を傷付けないよう作業する上で、注意が必要である。
【０００６】
第二に、カードを販売する時にレジスターで、カード裏面の個別バーコードを読み取る必要があるため、カード支持部体には、カードに印字されたバーコードが入る開口部が形成され、更にカードのバーコードをカード支持部体の開口部に位置合わせして、貼りつける必要がある。
【０００７】
第三に、カード支持部体にカードが貼られていること又、バーコードが読み取れる位置に正しく貼り合わされていることを確認する作業（マッチング作業）も必要となる。
【０００８】
カード支持部体にカードを貼りつける作業は、前述するような作業負荷があり、作業ミスによるスクラッチ部の傷の発生やカード支持部体の開口部とカードのバーコードの位置ずれによるバーコード読み取りエラーなどが発生する場合がある。このような不良を改善、作業負荷の軽減および工程の削減が求められている。
【０００９】
特許文献１は、カードを分離可能に支持するカード支持部体を有するカード送付用台紙に関するものあり、カードの隅部をカード支持部体に挿入または、剥離可能な接着構造でカードをカード支持部に取り付けてあるものである。（段落（０００４）参照）
【先行技術文献】
【特許文献】
【００１０】
【特許文献１】特許第３３４３１６５号公報
【発明の概要】
【発明が解決しようとする課題】
【００１１】
従来は、カードとカード支持部体を各々で作成し、後工程でカード支持部体にカードを糊や両面テープで貼りつけるため工程数が多く、カード支持部体にカードが貼り付けされているかの確認作業（マッチング作業）が必要であった。
特許文献１は、カードとカード支持部が同じ基材ではない点が本発明と相違しており、カードがカード支持部から脱落する可能性があり、カードがカード支持部についているかの確認作業が必要であり、また連続した絵柄印刷などができないという問題がある。
本発明は、カード支持部体とカードを同じ基材を用いて、一体で製作することで、製作工程数を削減するものである。
又同じ基材で、一体で製作されたカード支持部付カードは、販売店にて陳列され、取扱う際には、カード部がカード支持部から離れ難く、またはカード部をカード支持部から取外す際には、連接部が容易に取外すことができることが求められる。
【００１２】
本発明は、支持部一体型カードのカード支持部からカード部を取外す際にカードを掴む部分が少ない為に取外し難い課題を解決しようとするものである。
【課題を解決するための手段】
【００１３】
本発明の支持部一体型カードは、以下の各態様に記載の手段により上記の課題を解決するものである。
本発明の第１の態様は、カード部とカード支持部とが同じ基材からなり、該カード部は、該カード支持部に四辺を囲まれ、該カード部と該カード支持部とは、連接部で連接し、該連接部以外は分離しており、該カード支持部には、カード取出し部が備わっている支持部一体型カードであって、
該カード取出し部が、該カード部の外側に分離して対向する該カード支持部に開口してある、ことを特徴とするものである。
【００１４】
本発明の第２の態様は、前記請求項１の様態において、前記カード支持部に開口してあるカード取出し部には指先がはいる、ことを特徴とするものである。
【００１５】
本発明の第３の態様は、カード部とカード支持部とが同じ基材からなり、該カード部は、該カード支持部に四辺を囲まれ、該カード部と該カード支持部とは、連接部で連接し、該連接部以外は分離しており、該カード支持部には、カード取出し部が備わっている支持部一体型カードであって、
カード取出し部が該カード部の外側に分離して対向する該カード支持部において、該カード支持部とカード取出し連結部で連結されており、該カード取出し連結部以外は、該カード支持部と分離している、ことを特徴とするものである。
【００１６】
本発明の第４の態様は、カード部とカード支持部とが同じ基材からなり、該カード部は、該カード支持部に四辺を囲まれ、該カード部と該カード支持部とは、連接部で連接し、該連接部以外は分離しており、該カード支持部には、カード取出し部が備わっている支持部一体型カードであって、
該カード取出し部が該カード部の外側に分離して対向する該カード支持部の領域において、該カード部と平面上で相対する位置にあるカード取出し部連結部で該カード支持部に連結されており、該カード取出し連結部以外は、該カード支持部と分離している、ことを特徴とするものである。
【００１７】
本発明の第５の態様は、前記請求項１ないし請求項４のいずれか１項の態様において、前記カード取出し部は、前記カード部のコーナー部と分離して対向する前記カード支持部の領域の少なくとも1箇所に形成される、ことを特徴とするものである。
【００１８】
本発明の第６の態様は、前記請求項１ないし請求項４のいずれか１項の態様において、前記カード取出し部は、前記カード部の左側および右側のコーナー部と分離して対向する前記カード支持部の領域の少なくとも２箇所に形成される、ことを特徴とするものである。
【００１９】
本発明の第７の態様は、前記請求項３または請求項５または請求項６のいずれか１項の態様において、前記カード部と分離して対向する前記カード支持部の領域で、前記カード取出し部と該カード支持部とが分離している両端部において、該カード取出し部と該カード支持部とは、１．０ｍｍから２．０ｍｍの長さで連結している、ことを特徴とするものである。
【００２０】
本発明の第８の態様は、前記請求項３または請求項５または請求項６または請求項７のいずれか１項の態様において、前記カード取出し部は、前記カード部を取り外す際に前記カード支持部から外す、ことを特徴とするものである。
【００２１】
本発明の第９の態様は、前記請求項４または請求項５または請求項６のいずれか１項の態様において、前記カード取出し部は、前記カード部を取り外す際に前記カード支持部から外れない、ことを特徴とするものである。
【００２２】
本発明の第１０の態様は、前記請求項１ないし請求項９のいずれか１項の態様において、前記支持部一体型カードは、プラスチックシートまたは厚紙からなる、ことを特徴とするものである。
【００２３】
本発明において、連接とは、基材を打ち抜き刃で打ち抜いた非連結部と、打ち抜かない連結部とを連続的に形成することを意味するもので、連接部とは、該非連結部と該連結部が連続的に形成された領域を意味する。
【００２４】
又、本発明においてスクラッチ加工とは、基材にそれぞれのカード固有の認識番号が印字された上面に人が目視で認識できないように、厚く不透明インクを印刷、または透明ラベルに厚く不透明インクを印刷したラベルを貼り付けし、カードを使用する時に不透明なインクを削り、下のカード固有の認識番号を読み取ることができる為の加工である。
【００２５】
又、本発明においてマッチング作業とは、カード支持部体にカードが付いているか、カードに印刷されたバーコードが、カード支持部体に形成された開口部の正しい位置に貼り合わされているかを確認する作業のことである。
【発明の効果】
【００２６】
カード部の周囲のカード支持部に開口または切り込みをいれ形成したカード取出し部により、販売店にて陳列され、取扱う際には、カード部をカード支持部に保持し、カード部をカード支持部から切り離す際には、カード部の周囲から指が掛かり易くなり、カードを容易に外すことが可能となった。
【図面の簡単な説明】
【００２７】
【図１】カード取出し部のない支持部一体型カード（Ａ）と          開口したカード取出し部を備えた支持部一体型カード（Ｂ）（Ｃ）の平面図で          ある。
【図２】開口したカード取出し部がカード支持部に形成された支持部一体型カード（Ａ）      （Ｂ）（Ｃ）（Ｄ）の平面図である。
【図３】カード取出し部がカード部を取り外す際に外れる支持部一体型カード（Ａ）（Ｂ      ）の平面図である。
【図４】カード取出し部がカード支持部と連結して、外れない支持部一体型カード（Ａ）      （Ｂ）の平面図である。      カード取り出し部がカード支持部と連接して、外れない支持部一体型カード（Ｃ）      の平面図である。
【図５】多面付けの支持部一体型カード
【発明を実施するための形態】
【００２８】
初めに支持部一体型カード２０の構成について図１Ａを参照して説明する。
支持部一体型カード２０は、販売店での陳列や販売業務などの取り扱い時には、カード部１がカード支持部２から脱落し難く、一方、購入した後で、カードを使用する時には、カード部１を容易に且つ綺麗にカード支持部２から取り外すことができるように、カード連接部１１の形状が設計される。
【００２９】
同じ基材からなる前記カード部１と前記カード支持部２で該カード部１は、該カード支持部２に四辺を囲まれ、該カード部１と該カード支持部２とは、前記カード連接部１１で連接し、該カード連接部１１以外は、分離している。該カード支持部２には、販売店で陳列する際に引っ掛けて立て陳列するための引き掛け部３が形成されている。
【００３０】
さらに該カード部１の４コーナー部の領域には、該カード連接部１１を形成せず、角丸形状で前記カード支持部２と分離している。コーナー部は、分離し難い部分であり、あらかじめ分離していることにより、分離不良は、確実に防止できる。
【００３１】
次に前記カード部１とカード支持部２を連接する前記カード連接部１１の全体の配置について説明する。
図１Ａでは、該カード連接部１１は、該カード部１の４辺のそれぞれの辺に１箇所だけ形成されているが、該カード連接部１１は、少なくとも対向する2辺に形成されていれば良い。
【００３２】
前記カード１の４辺の内の３辺が前記カード支持部２と分離して、４辺の残りの１辺だけに前記カード連接部１１が形成された前記支持部一体型カード２０は、取り扱いの際に１箇所の該カード連接部１１が離れるとカード部１が脱落し、使用したカードとの区別ができなくなるが、該カード連接部１１が２辺に形成されている該支持部一体型カード２０は、１箇所の該カード連接部１１が離れてもカード部１が脱落することはなく、カード部１が未使用状態であることの証しとすることができる。
【００３３】
カードを使用する時には、該カード部１を容易に且つ綺麗に該カード支持部２から取り外す必要はあるが、取り扱い時の脱落事故は、最も避けなければならないため、少なくとも対向する２辺に該カード連接部１１を形成することにより、カード部１が脱落する事故を減少させることができる。
【００３４】
上述するように前記カード支持部２からの前記カード部１の脱落する事故を防止する一方、該カード部１を使用する際は、容易に該カード支持部２から取り外せることが必要である。
【００３５】
本発明は、カード部１の脱落を防止する為にカード部１とカード支持部２の連接部の長さを減らさないで、カード部１とカード支持部２の分離している領域にカード部１を取外すカード取出し部４を備えることによりカード部１を容易に取外すことが可能となるものである。
以下該カード部を容易に取外すためのカード取出し部４を備えた支持部一体型カード２０の構成を説明する。
【００３６】
図１Ｂと図１Ｃを参照して前記カード支持部２に開口したカード取出し部４が形成された支持部一体型カード２０を説明する。
【００３７】
図１Ｂは、前記カード取出し部４が、前記カード部１のコーナー部に接する前記カード支持部２の領域に円形状に開口を形成したものである。
図１Ｃは、前記カード取出し部４が、前記カード部１の長辺部に接する前記カード支持部２の領域に円形状に開口を形成したものである。該カード取出し部４は、該カード部１と前記カード支持部２とが連接されている領域以外であれば、該カード部１の周辺のどこに形成しても良いが、該カード部１の長辺部または短辺部に形成するよりコーナー部に形成する方が指先で該カード部１をつまみ易く、該カード部１を取り外すのが、容易である。
【００３８】
次に図２Ａ〜図２Ｄを参照して開口した前記カード取出し部４の変形例を説明する。
【００３９】
開口形状は、円形に限らず図２Ａおよび図２Ｂに示すような指先が入る形状であれば良く、図には示してないが、三角形や楕円形や不定形でも良い。
【００４０】
前記カード取出し部４を、前記カード部１の左右のコーナー部２箇所に形成した支持部一体型カード２０を図２Ｃと図２Ｄに示す。
前記カード部をつまみ取り出すのは、片手の指で行うので、１箇所で良いが、右利きの人と左利きの人のどちらでも使いやすように左右に形成したものである。
【００４１】
前記カード取出し部４の開口は、径が１０ｍｍから１５ｍｍの円形状が指を入れてカードを抓みやすい。
【００４２】
次に前記カード部１を取外す際に、前記カード取出し部４が前記カード支持部２から外れて開口し、指が入り、該カード部を取外す支持部一体型カード２０について図３Ａおよび図３Ｂを参照して説明する。
【００４３】
図３Ａは、前記カード取出し部４が前記カード部１と分離して対向する前記カード支持部２において、該カード支持部２と該カード取出し部４とが、カード取出し部連結部１２ａ及び１２ｂの２箇所で連結されており、該連結部以外は、分離している支持部一体型カードを示す。
【００４４】
前記カード取出し部４は、前記カード部１のコーナー部の外側に形成され、該カード部１と前記カード支持部２とが分離している領域で該カード支持部２と連結していて、該カード支持部２と連結している以外の領域は、該カード支持部２と分離している。
【００４５】
前記カード取出し部４は、前記カード支持部２より前記カード部１を取外す際に指で押し込まれることにより、前記カード取出し部連結部１２ａ及び１２ｂの連結が外れ、該カード取出し部４が該カード支持部２より外れ指が入り、カード部１の端を指で抓むことができるようになり、該カード部１を容易に外すことができる。
【００４６】
前記カード取出し部連結部１２ａおよび１２ｂ長さは、前記支持部一体型カード２０が輸送や梱包されている時は、前記カード部１は外れないで、該カード部１を取外す時は、前記カード取外し部４を指で押し込むことにより容易に外れる長さである。
【００４７】
前記カード取出し部４の分離部は、ピナクル刃またはビク刃の抜き刃を使用して、前記カード部１と前記カード支持部２の分離部を形成する時に同時に抜き加工で形成し、該カード取出し部４が取外された時に出来る開口部に指が入る大きさに形成する。
前記カード取出し部連結部１２ａおよび１２ｂの長さが、０．５ｍｍでは、前記カード支持部２と指の入る大きさに分離している前記カード取出し部４が該カード支持部２に保持される強度が弱く、該カード取出し部４が自重で折れて、外れる危険性がある。一方連結部の長さが２．５ｍｍより長いと該カード支持部２から取外す際に取外し難くなる。連結部の長さは、１．０ｍｍから２．０ｍｍが望ましい。
【００４８】
図３Ｂは、図３Ａと同じ前記カード取出し部を前記カード部１の左右のコーナー部の外側の２箇所に形成した支持部一体型カード２０を示す。
【００４９】
前記カード部１をつまみ取り出すのは、片手の指で行うので、１箇所で良いが、右利きの人と左利きの人のどちらでも使いやすように左右に形成したものである。
【００５０】
図１Ｂおよび図１Ｃおよび図２Ａから図２Ｄに示すような開口したカード取出し部４を備える支持部一体型カード２０は、基材をピナクル刃またはビク刃を使用して、抜き刃で形成する製造工程において、開口部に相当する基材は、不要部材として廃棄物となる。
【００５１】
前記開口した取出し部４を備える支持部一体型カード２０は、大量生産時に廃棄物の処理の問題および前記カード部１の外側に接して開口部があるため、該カード部１と連続した印刷が部分的にできない問題がある。
【００５２】
図３Ａおよび図３Ｂに示すような前記カード支持部２に連結している支持部一体型カード２０は、製造時の廃棄物の問題もなく、前記カード部１および前記カード支持部２に連続した印刷も可能である。
【００５３】
次に図４を参照して前記カード取出し部４が、前記カード部１を取外す際に指で押し曲げられるが前記カード支持部２から外れない支持部一体型カード２０について説明する。
【００５４】
図４Ａおよび図４Ｂは、前記カード取出し部４が前記カード部１と分離して対向する前記カード支持部２の領域において、該カード部１と平面上で相対する位置にあるカード取出し部連結部１２で該カード支持部２に連結されており、該連結部以外は、分離している支持部一体型カード２０を示す。
【００５５】
前記支持部一体型カード２０のカード部１を取外す際は、前記カード取出し部４を指で押し込むことにより、該カード取出し部４のカード取出し部連結部１２を支点に前記カード支持部２と分離している領域が折れ曲がり、前記カード部１との間に指が入る隙間ができ、該カード部１の端を指で抓むことができ、該カード部１を容易に外すことができる。
【００５６】
図４Ｂは、図４Ａと同じ前記カード取出し部を前記カード部１の左右のコーナー部の外側の２箇所に形成した支持部一体型カード２０を示す。
【００５７】
前記カード部１をつまみ取り出すのは、片手の指で行うので、１箇所で良いが、右利きの人と左利きの人のどちらでも使いやすように左右に形成したものである。
【００５８】
図４Ｃは、前記カード取出し部４が前記カード部１と分離して対向する前記カード支持部２の領域において、該カード部１と平面上で相対する位置にあるカード取出し部連接部１３で該カード支持部２に連接されており、該連接部以外は、分離している支持部一体型カード２０を示す。
【００５９】
前記カード取出し部４と前記カード支持部２とを連接することにより、指で該カード取出し部４を押し込む際に折り曲げ難い硬い基材においても、容易に折り曲げることが可能となる。
【００６０】
前記カード部１と前記カード支持部２の抜き加工は、ピナクル刃またはビク刃を使用して、分離部は抜き刃で形成し、カード連接部１１は、連接刃で打ち抜き加工にて形成する。
前記カード取出し部４の分離部は同時に抜き刃で形成し、前記カード取出し部連接部１３も同時に連接刃で打ち抜き加工にて形成する。
【００６１】
図４Ａ、Ｂ、Ｃに示す前記カード取出し部４が、前記カード部１を取り外す際に指で押し曲げられるが前記カード支持部２から外れない支持部一体型カード２０は、製造時の廃棄物および前記カード部１を取外す際にも廃棄物の発生が無く、該カード部１および該カード支持部２への連続印刷も可能である。
【００６２】
（材質に関する実施形態）
基材としては、厚さが０．１８ｍｍから０．３８ｍｍのＰＥＴ材、ＰＶＣ材やＰＥＴ−Ｇ材（非結晶性ポリエステル）のプラスチックシートおよび厚さ０．２ｍｍから０．４ｍｍの厚紙が使用できる。厚紙としては、上質紙、合成紙、紙にラミネート加工したものが使用できる。
【００６３】
（連接部の加工方法）
カード部とカード支持部の抜き加工は、ピナクル刃またはビク刃を使用して、分離部は抜き刃で形成し、カード連接部１１、カード取出し部連接部１３、カード支持部連接部１４は、連接刃で打ち抜き加工にて形成した。
【００６４】
（カード部１の形体）
長方形でコーナーが丸みを帯びた形状が一般的あり、サイズも数種類あるが、代表的なサイズである長辺の長さが８５．６０ｍｍで短辺の長さが５４．００ｍｍの大きさで、角丸形状のコーナーのＲは３．０ｍｍの形体とした。
【００６５】
（カード支持部２の形体）
カード支持部２の内にカード部１が入る大きさで、陳列するときに立てかける為の引き掛け部３の開口を有する形状であり、長辺の長さが１３５．００ｍｍで短辺の長さが１０５．００ｍｍの大きさで、角丸形状のコーナー部はR３．０ｍｍの形体とした。
カード支持部２の上部に陳列する時に、引き掛けて立てかけるための直径８．０ｍｍの円状で開口した引き掛け部３を形成した。
【実施例１】
【００６６】
支持部一体型カードの実施例を説明する。
基材は、厚さ０．２５ｍｍのＰＥＴ材料のシートのロールを使用し、カードの裏面となる面にアンダーコート剤を形成した後にバーコード印字するための表面処理加工として、ＰＥＴ表面にバーコード受像層を塗布加工した。
【００６７】
次にオフセット印刷機でＰＥＴシートの両面に絵柄を印刷した。
次にカード部の裏面にバーコードや情報を印字し、オフセット印刷機を用いて、バーコード印字面に保護膜層を印刷した後、シルク印刷機にてスクラッチ層を印刷して、ＰＥＴシートに多面付けで支持部一体型カードを製作した。
【００６８】
本実施例１では、支持部一体型カードを９面付けで製作されたＰＥＴシートを、平台活版機で抜き加工および連接部形成加工を行った。カード部１、カード支持部２、引き掛け部３およびカード取出し部４の抜き加工は、０．８ｍｍのピナクル刃を使用して、分離部は抜き刃で形成し、カード連接部１１およびカード支持部連接部１４は、連接刃で打ち抜き加工にて形成した。
図１Ｂに示すようにカード取出し部４としてカード部１のコーナー領域の外側に径１３ｍｍの円形状の開口部を形成した。カード部１のコーナー部外周より開口部の幅ａは、１０ｍｍとした。
【００６９】
図５に示すように９面ある支持部一体型カード２０のそれぞれの外縁にＰＥＴシート基材と連接するカード支持部連接部１４を２箇所設け、それ以外の外縁は分離し、又各支持部一体型カード２０を構成する前記カード部１と前記カード支持部２とは、４箇所のカード連接部１１で連接し、それ以外の該カード部１の外縁は、該カード支持部２と分離した。図５には、１面に符号を記載しているが他の８面も同じである。
【００７０】
前記カード連接部１１の長さは、４辺それぞれ３０ｍｍとし、非連結部が１．５ｍｍで連結部が０．５ｍｍとした。前記カード支持部連接部１４は、４辺それぞれ４０ｍｍとし、非連結部が１．８ｍｍで連結部が０．６ｍｍとした。
【００７１】
次にＰＥＴシート基材より９面付いている前記支持部一体型カード２０を個別に分離した。
個別に分離した前記支持部一体型カード２０は、区分けして帯掛けを行い梱包した。
上述した工程で製作した前記支持部一体型カード２０は、販売店への輸送及び陳列での取扱いでは、カード部が脱落することが無く、前記カード部１を使用する際は、カード取出し部４に指先を入れカード部のコーナーを摘み、カード連接部１１以外が破れたりすることもなく、容易に分離できた。
【実施例２】
【００７２】
基材は、厚さ０．２５ｍｍのＰＥＴ材料のシートのロールを使用し、カードの裏面となる面にアンダーコート剤を形成した後にバーコード印字するための表面処理加工として、ＰＥＴ表面にバーコード受像層を塗布加工した。
【００７３】
次にオフセット印刷機でＰＥＴシートの両面に絵柄を印刷した。
次にカード部の裏面にバーコードや情報をインクジェットプリンターで印字し、枚葉オフセット印刷機を用いて、バーコード印字面に保護膜層を印刷した後、シルク印刷機にてスクラッチ層を印刷して、ＰＥＴシートに多面付けで支持部一体型カードを製作した。
【００７４】
本実施例では、支持部一体型カードを９面付けで製作されたＰＥＴシートを、平台活版機で抜き加工および連接部形成加工を行った。カード部１、カード支持部２、引き掛け部３およびカード取出し部４の抜き加工は、０．８ｍｍのピナクル刃を使用して、分離部は抜き刃で形成し、カード連接部１１およびカード支持部連接部１４は、連接刃で打ち抜き加工にて形成した。
【００７５】
カード取出し部４は、図３Ａに示すようにカード部１のコーナー領域の外側に径１３ｍｍの円形状の分離部を形成し、カード支持部２と連結するカード取出し部連結部１２aと１２ｂを設け、それぞれ１．２ｍｍの長さに形成した。カード部１のコーナー部の外周から対向する分離部までの幅ｂは、１０ｍｍとした。
【００７６】
前記カード連接部１１の長さは、４辺それぞれ３０ｍｍとし、非連結部が１．５ｍｍで連結部が０．５ｍｍとした。前記カード支持部連接部１４は、４辺それぞれ４０ｍｍとし、非連結部が１．８ｍｍで連結部が０．６ｍｍとした。
【００７７】
次にＰＥＴシート基材より９面付いている前記支持部一体型カード２０を個別に分離した。
個別に分離した前記支持部一体型カード２０は、区分けして帯掛けを行い梱包した。
上述した工程で製作した前記支持部一体型カード２０は、販売店への輸送及び陳列での取扱いでは、カード部が脱落することが無く、前記カード部１を使用する際は、前記カード支持部２からのカード部１を取外す際は、カード取出し部４を指で押し下げることにより、容易にカード取外し部４が外れ、開口部となり、指先でカード部１のコーナー部からカード部１を容易に取り外すことができた。
【実施例３】
【００７８】
基材は、厚さ０．２５ｍｍのＰＥＴ材料のシートのロールを使用し、カードの裏面となる面にアンダーコート剤を形成した後にバーコード印字するための表面処理加工として、ＰＥＴ表面にバーコード受像層を塗布加工した。
【００７９】
次にロール状態からシートカット装置にてシートへ断裁し、枚葉オフセット印刷機でＰＥＴシートの両面に絵柄を印刷した。
次にカード部の裏面にバーコードや情報をインクジェットプリンターで印字し、枚葉オフセット印刷機を用いて、バーコード印字面に保護膜層を印刷した後、シルク印刷機にてスクラッチ層を印刷して、ＰＥＴシートに多面付けで支持部一体型カードを製作した。
【００８０】
本実施例では、支持部一体型カードを９面付けで製作されたＰＥＴシートを、平台活版機で抜き加工および連接部形成加工を行った。カード部１、カード支持部２、引き掛け部３およびカード取出し部４の抜き加工は、０．８ｍｍのピナクル刃を使用して、分離部は抜き刃で形成し、カード連接部１１およびカード支持部連接部１４は、連接刃で打ち抜き加工にて形成した。
【００８１】
カード取出し部４は、図４Ａに示すように、カード部１のコーナー領域の外側に径１３ｍｍの円形状の分離部を、カード支持部２と３ｍｍの長さで連結するカード取出し部連結部１２ｃを残し形成した。カード部１のコーナー部外周より分離部の幅ｃは、１０ｍｍとした。
【００８２】
前記カード連接部１１の長さは、４辺それぞれ３０ｍｍとし、非連結部が１．５ｍｍで連結部が０．５ｍｍとした。前記カード支持部連接部１４は、４辺それぞれ４０ｍｍとし、非連結部が１．８ｍｍで連結部が０．６ｍｍとした。
【００８３】
次にＰＥＴシート基材より９面付いている前記支持部一体型カード２０を個別に分離した。
個別に分離した前記支持部一体型カード２０は、区分けして帯掛けを行い梱包した。
【００８４】
上述した工程で製作した前記支持部一体型カード２０は、販売店への輸送及び陳列での取扱いでは、カード部が脱落することが無く、前記カード部１を使用する際は、前記カード支持部２からのカード部１を取外す際は、カード取出し部４を指で押し下げることにより、カード取出し部連結部以外の分離部が下に押し下げられ開口部となり、指先でカード部１のコーナー部からカード部１を容易に取り外すことができた。
【００８５】
カード部１を取り外した際にカード取出し部４は、カード支持部と一体となっている為、製造工程および使用時のカード部取出しでの廃棄物の処理も容易であった。
【００８６】
上述した本発明の支持部一体型カードについて、従来のカード部とカード支持部を別々に作成し、貼り合わせたものに対する特徴を説明する。
【００８７】
従来、カードをカード支持体に糊や両面テープで貼り付け、又使用時に取外すので、接触により、スクラッチ部を傷つけたりする問題もあった。またカードおよびカード支持体の表裏には、絵柄が印刷されるが、カード部とカード支持体が別々で印刷されるため、連続した絵柄が印刷できなかった。
【００８８】
従来の形体に対して、本実施例で製作した形体は、カード部１とカード支持部２を同じ基材で一体として、絵柄印刷、バーコード印字、スクラッチ印刷をすることにより、印刷工程数を減らすことができた。カード部１とカード支持部２との貼り合わせも必要無くなり、工程数を削減できた。又カード部１とカード支持部２が一体の基材である為、連続した絵柄印刷も可能となり、カード部１とカード支持部２の印刷された絵柄も見た目に相違が見られない品質の製品が可能となった。
【００８９】
更に支持部一体型カードにおいて、本発明のカード取外し部を備えたことにより、カード部１を容易に取り出せることができた。
【符号の説明】
【００９０】
１      カード部
２      カード支持部
３      引き掛け部
４      カード取出し部
１１    カード連接部
１２    カード取出し部  連結部
１２ａ  カード取出し部  連結部
１２ｂ  カード取出し部  連結部
１２ｃ  カード取出し部  連結部
１３    カード取出し部  連接部
１４    カード支持部    連接部
２０    支持部一体型カード
【図１】
2013224002.tif 000003
【図２】
2013224002.tif 000004
【図３】
2013224002.tif 000005
【図４】
2013224002.tif 000006
【図５】
2013224002.tif 000007